(57)【要約】【課題】本発明は衣服および衣服に用いる肩布に関し、スキー、ゴルフ等に使用するスポーツウェアー、背広、ジャケット等のカジュアル・ウェアー、Ｔシャツ等に衣服に最適であり、被着者の肩から肩布部が浮き上がった状態に装用され、衣服自体の重さを感ぜず、軽快な装用が行え、運動性を良くする。【解決手段】本発明は、上端に首ぐり２を有する前身頃３,３′および後身頃４,４′とよりなる衣服１であり、一端を首ぐりの頸側部位ａ,ａ′に対応する部分に設けられた肩Ｋ,Ｋ′を覆う肩布部５,５′と、左右の袖部６,６′とを備え、（イ）肩布部５,５′が、頸側部位ａ,ａ′から肩先点部位ａ,ａ′までの間と、胸幅部位ｃから背幅部位ｄまでの間とで規定される領域Ｔ,Ｔ′に設けられ、（ロ）肩布部に、肩切り替え手段９によって形成された凸の曲面部７が表面に設けられ、該曲面部の裏面には空隙部８が設けられ、（ハ）肩布部が、被着時に頸側部位付近を支点部ｐとして肩Ｋ,Ｋ′から浮き上がった状態に装用される。【選択図】図１
2005299023.tif 000002
【特許請求の範囲】
【請求項１】
上端に首ぐりを有する前身頃および後身頃とよりなる衣服であって、一端を前記首ぐりの頸側部位に対応する部分に設けられた肩を覆う肩布部と、該肩布部に配設される袖部とを備える衣服において、
（イ）前記肩布部が、前記頸側部位から肩先点部位にまでの間と、胸幅部位から背幅部位との間とによって規定される領域に設けられ、
（ロ）前記肩布部に、肩切り替え手段によって形成された凸の曲面部を表面に設けるとともに、該曲面部の裏面には空隙部が設けられ、
（ハ）そして、前記肩布部が、被着時に前記頸側部位付近を支点部として被着者の肩から浮き上がった状態に装用されるようにした
ことを特徴とした衣服。
【請求項２】
前記肩布部に続いて配設される袖部が、ラグラン袖であることを特徴とした請求項１に記載の衣服。
【請求項３】
前記肩布部に続いて配設される袖部が、袖ぐりを介して設けられるセットイン袖であることを特徴とした請求項１に記載の衣服。
【請求項４】
前記肩切り替え手段が、切込みによってダーツを設けて形成されるものであるか、または折込みを設けることによって形成されるタックであることを特徴とした請求項１,２,３の何れかに記載の衣服。
【請求項５】
前記肩切り替え手段が、前記胸幅部位に位置する前縁と前記背幅部位に位置する後縁とに長手方向に交叉する所望本数の切込みによってダーツを設けて形成されるか、または、所望本数の折込みによってタックを設けて形成されることを特徴とした請求項１,２,４に記載の衣服。
【請求項６】
前記肩切り替え手段が、前記頸側部位に長手方向へ所望本数の切込みによってダーツを設けて形成されるか、または、所望本数の折込みによってタックを設けて形成されることを特徴とした請求項１,２,４に記載の衣服。
【請求項７】
前記肩切り替え手段が、後身頃に一体に形成される前記肩布部の長手方向に交叉する所望本数の切込みによってダーツを設けて形成されるか、または、所望本数の折込みによってタックを設けて形成されるとともに、袖ぐり部には後身頃の中心線に向かう所望本数の切込みによってダーツを設けて形成されるか、または、所望本数の折込みによってタックを設けて形成されることを特徴とした請求項１,３,４に記載の衣服。
【請求項８】
前記肩切り替え手段が、前記肩布部を後身頃に対する肩ヨークとして形成し、該肩ヨークの肩山の縁部には長手方向に交叉する所望本数の切込みによってダーツを設けて形成されるか、または、所望本数の折込みによってタックを設けて形成されることを特徴とした請求項１,３,４に記載の衣服。
【請求項９】
前記肩切り替え手段が、前身頃および後身頃と、該前身頃と該後身頃との対向面の何れか一側に胸幅部位と背幅部位との間の領域を幅方向に占める肩布構成部材を突設するとともに、前記対向面の何れか他側には前記肩布構成部材を取付可能に該肩布構成部材よりも僅かに幅狭の肩ぐり凹部を凹設した、ことを特徴とする請求項１,３,４に記載の衣服。
【請求項１０】
上端に首ぐりを有する前身頃および後身頃とよりなる衣服であって、一端を前記首ぐりの頸側部位に対応する部分に設けられた肩を覆う肩布部と、該肩布部に配設される袖部とを備える衣服に用いる肩布おいて、
（イ）肩布部が、前記頸側部位から肩先点部位までの間と、胸幅部位から背幅部位との間によって規定される領域に設けられ、
（ロ）前記肩布部に、肩切り替え手段によって形成された凸の曲面部が表面に設けられるとともに、該曲面部の裏面には空隙部が設けられ、
（ハ）そして、前記肩布部が、被着時に前記頸側部位付近を支点部として被着者の肩から浮き上がった状態に装用されるようにしたことを特徴とした衣服に用いる肩布。
【請求項１１】
前記肩布部に続いて配設される袖部が、ラグラン袖であることを特徴とした請求項１０に記載の衣服に用いる肩布。
【請求項１２】
前記肩布部に続いて配設される袖部が、袖ぐりを介して設けられるセットイン袖であることを特徴とした請求項１０に記載の衣服に用いる肩布。
【請求項１３】
前記肩切り替え手段が、前記胸幅部位に位置する前縁と前記背幅部位に位置する後縁とに長手方向に交叉する所望本数の切込みによってダーツを設けて形成されるか、または、所望本数の折込みによってタックを設けて形成されることを特徴とした請求項１０,１１に記載の衣服に用いる肩布。
【請求項１４】
前記肩切り替え手段が、前記頸側部位に長手方向へ所望本数の切込みによってダーツを設けて形成されるか、または、所望本数の折込みによってタックを設けて形成されることを特徴とした請求項１０,１１に記載の衣服に用いる肩布。
【請求項１５】
前記肩切り替え手段が、後身頃に一体に形成される前記肩布部の長手方向に交叉する所望本数の切込みによってダーツを設けて形成されるか、または、所望本数の折込みによってタックを設けて形成されるとともに、袖ぐり部には後身頃の中心線に向かう所望本数の切込みによってダーツを設けて形成されるか、または、所望本数の折込みによってタックを設けて形成されることを特徴とした請求項１０,１２に記載の衣服に用いる肩布。
【請求項１６】
前記肩切り替え手段が、前記肩布部を後身頃に対する肩ヨークとして形成し、該肩ヨークの肩山の縁部には長手方向に交叉する所望本数の切込みによってダーツを設けて形成されるか、または、所望本数の折込みによってタックを設けて形成されることを特徴とした請求項１０,１２に記載の衣服に用いる肩布。
【請求項１７】
前記肩切り替え手段が、前身頃および後身頃と、該前身頃と該後身頃との対向面の何れか一側に胸幅部位と背幅部位との間の領域を幅方向に占める肩布構成部材を突設するとともに、前記対向面の何れか他側には前記肩布構成部材を取付可能に該肩布構成部材よりも僅かに幅狭の肩ぐり凹部を凹設した、ことを特徴とする請求項１０,１２に記載の衣服に用いる肩布。
【請求項１８】
前記肩布構成部材が、袖部の前記前身頃および前記後身頃に対する対向端に設けられたことを特徴とする請求項１６に記載の衣服に用いる肩布。
【発明の詳細な説明】
【技術分野】
【０００１】
本発明は衣服および衣服に用いる肩布に関し、例えばスキー、ゴルフ等に使用するスポーツウェアー、背広、ジャケット、ジャンパー等のカジュアル・ウェアー、Ｔシャツ、さらにはコート等の衣服に最適であり、被着者の肩から肩布が浮き上がった状態に装用されることにより衣服自体の重さを感ずることなく軽快な装用が行え、運動性を良くしようとするものである。
【背景技術】
【０００２】
従来、例えば背広、ジャケット、ブラウス等の衣服は、例えば上端に首ぐりを有する前身頃および後身頃と、一端を首ぐりの頸側部位に対応する部分に設けた肩を覆う肩布部と、該肩布部の左右に配設される袖部とを備えている。そして、衣服の肩布部の裏面に肩パッド等の芯材を重合して設けることにより被着時の肩から袖付部の整容を行うものがあった（例えば、特許文献１参照）。
【０００３】
また袖部には、前身頃と後身頃とに形成される袖ぐり部に筒袖を縫着けるセットイン形式の袖がある（例えば特許文献２参照）。
【０００４】
このほか、頸側部位から肩先点部位を通り過ぎて袖口に到る肩布部と袖部とが一体に形成されるラグラン袖を前身頃および後身頃に取付けるものがある（例えば特許文献３参照）。
【特許文献１】特開平８−３２５８１５号公報
【特許文献２】特開２０００−１２９５１３号公報
【特許文献３】特開２００３−１７１８１１号公報
【発明の開示】
【発明が解決しようとする課題】
【０００５】
しかしながら、例えば特許文献１に記載のように、例えば背広、ジャケット、ブラウス等の衣服の肩布部の裏面に、肩パッドを重合して設けることにより肩から袖付部にわたる整容を行う衣服は、衣服の被着時に左右の肩布部全体で衣服を支えることになるので、衣服の全重量は左右の肩布部全体にかかり、重量感を感じ、着心地が悪く、窮屈感を覚えるものであった。
【０００６】
また、特許文献１に記載のように、例えば背広、ジャケット、ブラウス等の衣服の肩布部個所の裏面に、肩パッドを重合して設ける衣服は、活発な運動をすると、衣服が身体の動きに追従して引き連れるので、衣服は着崩れるため、左右の肩布部は不均衡になり、外観的に見苦しいものであった。
【０００７】
しかも、肩パッドを用いるので、部品点数が多くなり、資材費がかかるとともに肩パッドを衣服に取付けなければならずに、工程数が増え、製作費が高くなるという、不都合があった。
【０００８】
本発明は上記従来の欠点を解決し、衣服を重量を感ずることなく軽快にかつ窮屈感を覚えることなく着用でき、しかも引き連れを生ぜずに運動性に優れ、さらには部品点数も少なく、製作および組付けは容易になり、資材費および製作コストが安価な衣服および衣服に用いる肩布を提供することを目的とする。
【課題を解決するための手段】
【０００９】
本発明は上記課題に鑑みなされ、請求項１に記載の発明は、
上端に首ぐりを有する前身頃および後身頃とよりなる衣服であって、一端を前記首ぐりの頸側部位に対応する部分に設けられた肩を覆う肩布部と、該肩布部に配設される袖部とを備える衣服において、
（イ）前記肩布部が、前記頸側部位から肩先点部位にまでの間と、胸幅部位から背幅部位までの間とによって規定される領域に設けられ、
（ロ）前記肩布部に、肩切り替え手段によって形成された凸の曲面部が表面に設けられるとともに、該曲面部の裏面には空隙部が設けられ、
（ハ）そして、前記肩布部が、被着時に前記頸側部位付近を支点部として被着者の肩から浮き上がった状態に装用されるようにした。
【００１０】
また、本発明の請求項２に記載の発明は、請求項１において、
前記肩布部に続いて配設される袖部が、ラグラン袖であることを特徴とした。
【００１１】
また、本発明の請求項３に記載の発明は、請求項１において、
前記肩布部に続いて配設される袖部が、袖ぐりを介して設けられるセットイン袖であることを特徴とした。
【００１２】
また、本発明の請求項４に記載の発明は、請求項１,２,３の何れかにおいて、
前記肩切り替え手段が、切込みによってダーツを設けて形成されるものであるか、または折込みを設けることによって形成されるタックであることを特徴とした。
【００１３】
また、本発明の請求項５に記載の発明は、請求項１,２,４において、
前記胸幅部位に位置する前縁と前記背幅部位に位置する後縁とに長手方向に交叉する所望本数の切込みによってダーツを設けて形成されるか、または、所望本数の折込みによってタックを設けて形成されることを特徴とした。
【００１４】
また、本発明の請求項６に記載の発明は、請求項１,２,４において、
前記頸側部位に長手方向へ所望本数の切込みによってダーツを設けて形成されるか、または、所望本数の折込みによってタックを設けて形成されることを特徴とした。
【００１５】
また、本発明の請求項７に記載の発明は、請求項１,３,４において、
前記肩切り替え手段が、後身頃に一体に形成される前記肩布部の長手方向に交叉する所望本数の切込みによってダーツを設けて形成されるか、または、所望本数の折込みによってタックを設けて形成されるとともに、袖ぐり部には後身頃の中心線に向かう所望本数の切込みによってダーツを設けて形成されるか、または、所望本数の折込みによってタックを設けて形成されることを特徴としたことを特徴とした。
【００１６】
また、本発明の請求項８に記載の発明は、請求項１,３,４において、
前記肩切り替え手段が、前記肩布部を後身頃に対する肩ヨークとして形成し、該肩ヨークの肩山の縁部には長手方向に交叉する所望本数の切込みによってダーツを設けて形成されるか、または、所望本数の折込みによってタックを設けて形成されることを特徴とした。
【００１７】
また、本発明の請求項９に記載の発明は、請求項１,３,４において、
前記肩切り替え手段が、前身頃および後身頃と、該前身頃と該後身頃との対向面の何れか一側に胸幅部位と背幅部位との間の領域を幅方向に占める肩布構成部材を突設するとともに、前記対向面の何れか他側には前記肩布構成部材を取付可能に該肩布構成部材よりも僅かに幅狭の肩ぐり凹部を凹設した、ことを特徴とした。
【００１８】
また、本発明の請求項１０に記載の発明は、
上端に首ぐりを有する前身頃および後身頃とよりなる衣服であって、一端を前記首ぐりの頸側部位に対応する部分に設けられた肩を覆う肩布部と、該肩布部に配設される袖部とを備える衣服に用いる肩布おいて、
（イ）肩布部が、前記頸側部位から肩先点部位までの間と、胸幅部位から背幅部位との間によって規定される領域に設けられ、
（ロ）前記肩布部に、肩切り替え手段によって形成された凸の曲面部が表面に設けられるとともに、該曲面部の裏面には空隙部が設けられ、
（ハ）そして、前記肩布部が、被着時に前記頸側部位付近を支点部として被着者の肩から浮き上がった状態に装用されるようにしたことを特徴とした。
【００１９】
また、本発明の請求項１１に記載の発明は、請求項１０において、
前記肩布部に続いて配設される袖部が、ラグラン袖であることを特徴とした。
【００２０】
また、本発明の請求項１２に記載の発明は、請求項１０において、
前記肩布部に続いて配設される袖部が、袖ぐりを介して設けられるセットイン袖であることを特徴とした。
【００２１】
また、本発明の請求項１３に記載の発明は、請求項１０,１１において、
前記肩切り替え手段が、前記胸幅部位に位置する前縁と前記背幅部位に位置する後縁とに長手方向に交叉する所望本数の切込みによってダーツを設けて形成されるか、または、所望本数の折込みによってタックを設けて形成されることを特徴とした。
【００２２】
また、本発明の請求項１４に記載の発明は、請求項１０,１１において、
前記肩切り替え手段が、後身頃に一体に形成される前記肩布部の長手方向に交叉する所望本数の切込みによってダーツを設けて形成されるか、または、所望本数の折込みによってタックを設けて形成されるとともに、袖ぐり部には後身頃の中心線に向かう所望本数の切込みによってダーツを設けて形成されるかまたは所望本数の折込みによってタックを設けて形成されることを特徴とした。
【００２３】
また、本発明の請求項１５に記載の発明は、請求項１０,１２において、
前記肩切り替え手段が、後身頃に一体に形成される前記肩布部の長手方向に交叉する所望本数の切込みによってダーツを設けて形成されるか、または、所望本数の折込みによってタックを設けて形成されるとともに、袖ぐり部には後身頃の中心線に向かう所望本数の切込みによってダーツを設けて形成されるか、または、所望本数の折込みによってタックを設けて形成されることを特徴とした。
【００２４】
また、本発明の請求項１６に記載の発明は、請求項１０,１２において、
前記肩切り替え手段が、前記肩布部を後身頃に対する肩ヨークとして形成し、該肩ヨークの肩山の縁部には長手方向に交叉する所望本数の切込みによってダーツを設けて形成されるか、または、所望本数の折込みによってタックを設けて形成されることを特徴とした。
【００２５】
また、本発明の請求項１７に記載の発明は、請求項１０,１２において、
前記肩切り替え手段が、前身頃および後身頃と、該前身頃と該後身頃との対向面の何れか一側に胸幅部位と背幅部位との間の領域を幅方向に占める肩布構成部材を突設するとともに、前記対向面の何れか他側には前記肩布構成部材を取付可能に該肩布構成部材よりも僅かに幅狭の肩ぐり凹部を凹設した、ことを特徴とした。
【００２６】
また、本発明の請求項１８に記載の発明は、請求項１６において、
前記肩布構成部材が、袖部の前記前身頃および前記後身頃に対する対向端に設けられた、ことを特徴とした。
【発明の効果】
【００２７】
本発明は、上記従来の欠点を解決し、衣服を重量を感ずることなく軽快にかつ窮屈感を覚えることなく着用でき、しかも引き連れを生ぜずに運動性に優れ、さらには部品点数も少なく、製作および組付けは容易になり、資材費および製作コストが安価になる。
【発明を実施するための最良の形態】
【００２８】
以下、図面に従って本発明の実施の最良の形態により、本発明の詳細を説明する。
【００２９】
図１は本発明の衣服の実施形態１を示す正面図、図２は背面図、図３は本実施形態１に使用する左右１対の肩布部を示す拡大平面図、図４は同じく衣服の被着時の説明的な断面図、図５は被着者に対する本実施形態１に示す衣服での衣服圧の測定位置を示す正面図、図６は左側面図、図７は右側面図、図８は比較例の肩布本体を示す拡大平面図である。
【００３０】
この実施形態１は、上端に首ぐり２を有する前身頃３,３′および後身頃４,４′とよりなる衣服１であって、一端を前記首ぐり２の頸側部位ａ,ａ′に対応する部分に設けられた肩Ｋ,Ｋ′を覆う肩布部５,５′と、該肩布部５,５′に配設される袖部６,６′とを備える衣服１において、
（イ）前記肩布部５,５′が、前記頸側部位ａ,ａ′から肩先点部位ｂ,ｂ′にまでの間と、胸幅部位ｃから背幅部位ｄの間とによって規定される領域Ｔ,Ｔ′に設けられ、
（ロ）前記肩布部５,５′に、肩切り替え手段９によって形成された凸の曲面部７が表面に設けられるとともに、該曲面部７の裏面には空隙部８が設けられ、
（ハ）そして、前記肩布部５,５′が、被着時に前記頸側部位ａ,ａ′付近を支点部ｐとして被着者の肩Ｋ,Ｋ′から浮き上がった状態に装用されるようにしている。
【００３１】
そして、Ｉは前記肩布部５,５′が、規定される領域Ｔ,Ｔ′の前記頸側部位ａ,ａ′から肩先点部位ｂ,ｂ′の長手方向を示し、Ｗは該長手方向Ｉと交叉する胸幅部位ｃと背幅部位ｄとの方向の幅方向である。
【００３２】
前記衣服１は、本実施形態１では、例えば図１および図２では、例えばスキーに使用するスキー・ウェアーであるほか、図には示さないが例えばゴルフやジョギング等に使用するスポーツウェアー、背広、ジャケット、ジャンパー等のカジュアル・ウェアー、Ｔシャツ、ブラウス、セータ等のニット、さらにはコート等があげられる。
【００３３】
前記衣服１の肩布部５,５′、前身頃３,３′、後身頃４,４′、袖部６,６′は、例えば木綿、絹、麻、羊毛等の天然繊維、また、ポリエステル繊維、ポリアミド繊維、ポリアクリル繊維、ポリウレタン繊維、ポリスチレン繊維、ポリエチレン繊維等の合成繊維、またはこれらの半合成繊繊維により織成されるか、または編成されるほか、天然皮革、合成皮革の何れか、または前記群から選択される素材の２つ以上の組み合わせにより形成される。
【００３４】
また、本実施形態１では、図１ないし図７に示すように、前記肩布部５,５′に続いて配設される袖部６,６′が、頸側部位ａ,ａ′から肩先点部位ｂ,ｂ′を通り過ぎて袖口ｅ,ｅ′に到るラグラン袖Ａとして一体に設けられている。
【００３５】
また、本実施形態１では、前記肩切り替え手段９が、図３に示すように、前記胸幅部位ｃに位置する前縁１０,１０′と、前記背幅部位ｄに位置する後縁１１,１１′とに長手方向Ｉに交叉する所望本数、図３では２本の切込み１２によってダーツ１３を設けて形成されるか、または図には示さないが所望本数の折込みによってタックを設けて形成される。
【００３６】
なお、切込み１２の隣接する縁部相互の固定手段は、縫着、高周波溶着、超音波溶着等の適宜手段を選択することにより容易に達成される。また、切込み１２の長さｌ、また切込み１２の切込幅ｍを増減変更するほか、切込み１２は直線に限らず曲線になすこともあり、設置個数を増減することによりダーツ１３の形状を変更する等して肩布部１,１′の表面に形成される凸の曲面部７の裏面に形成される空隙部８の形状、高さＨを容易に変更することができる。
【００３７】
本実施形態１の衣服１は以上の構成からなり、上端に首ぐり２を有する前身頃３,３′および後身頃４,４′と、前記首ぐり２の頸側部位ａ,ａ′に対応する部分に設けられた肩Ｋ,Ｋ′を覆う肩布部５,５′と、該肩布部５,５′に配設される袖部６,６′とを備え、肩布部５,５′が、頸側部位ａ,ａ′から肩先点部位ｂ,ｂ′までの間と、胸幅部位ｃから背幅部位ｄまでの間とによって規定される領域Ｔ,Ｔ′に設ける。しかも、肩布部５,５′には、頸側部位ａ,ａ′から肩先点部位ｂ,ｂ′までの間と、胸幅部位ｃから背幅部位ｄまでの間とによって規定される領域Ｔ,Ｔ′の内域へ向かって前記胸幅部位ｃに位置する前縁１０,１０′と、前記背幅部位ｄに位置する後縁１１,１１′とに長手方向Ｉに交叉して所望本数、図３では２本づつ、合計４本の切込み１２により形成されるダーツ１３を肩切り替え手段９として設けることにより肩布部５,５′には表面に凸の曲面部７,７が形成され、肩布部５,５′の曲面部７,７の裏面には空隙部８が形成されるので、被着者が衣服１の被着時には、図４に示すように肩布部５,５′は、頸側部位ａ,ａ′付近を支点部ｐとして被着者の左右の肩Ｋ,Ｋ′から浮き上がった状態に衣服１は装用される。
【００３８】
この際、図３に示すように、切込み１２の長さｌ、また切込み１２の切込幅ｍを増減変更するほか、切込み１２は直線に限らず曲線になしたり、設置個数を増減することによりダーツ１３の形状を変更する等して肩布部５,５′の曲面部７,７の裏面に形成される空隙部８の形状、高さＨを容易に変更することができる。
【００３９】
このように、本実施形態１の衣服１は、左右の肩布部５,５′は肩切り替え手段９としてのダーツ１３により表面には凸の曲面部７,７が形成され、該曲面部７,７の裏面には空隙部８,８が形成されることにより肩布部５,５′は被着者の頸側部位ａ,ａ′付近を支点部ｐとして支持され、被着者の肩Ｋ,Ｋ′から浮き上がった状態に装用されるので、例えば肩Ｋ,Ｋ′から袖付部にわたる整容を行うために、肩布個所の裏面に肩パッドを重合して設けることにより左右の肩全体で衣服を支えるというような特許文献１に記載の従来の衣服とは異なり、被着者の左右の肩Ｋ,Ｋ′全体で衣服１の重量を支えるものではなく、衣服１の重量は肩布部５,５′の周囲に分散されて肩Ｋ,Ｋ′にかかり、重量が軽減されるため、重量感を感ぜず、軽快にかつ着心地が良く衣服１を装用することができる。
【００４０】
そして、被着者の頸側部位ａ,ａ′付近を支点部ｐとして左右の肩布部５,５′が支持される左右の肩布部５,５′は、被着者の肩Ｋ,Ｋ′から浮き上がった状態に装用され、しかも左右の肩布部５,５′の曲面部７,７の裏面には空隙部８が形成されるので、被着者の肩Ｋ,Ｋ′との間に余裕の空間が形成されるため、歩行時、または運動時において肩Ｋ,Ｋ′の回転、捻回、伸縮を拘束することなく、運動性をに優れるとともに、左右の肩布部５,５′は肩Ｋ,Ｋ′の動きに対して引き連れが生ずることなく、窮屈感も覚えることはなく、爽快に装用が行える。
【００４１】
従って、例えばスキーウェアーのように、１／１００秒のスピードを競うスポーツ競技における衣服１として装用した場合に、重量が軽減されて軽快に装用できるのと、肩Ｋ,Ｋ′の回転、捻回、伸縮を拘束することなく、運動性に優れるので最適である。
【００４２】
そのうえ、左右の肩布部５,５′は、凸の曲面部７,７の裏面に形成される空隙部８により大きな空間部を占めることにより多量の空気層となるので、冬期における保温に適し、夏期においては通気性を発揮し、発汗によるムレを防止することもできる。
【００４３】
また、左右の肩布部５,５′は、左右の袖部６,６′と一体に形成されるラグラン袖Ａであるので、部品点数が１点で済み、衣服１を形成するための裁断および組付けが便利である。
【００４４】
そして、本発明者等は、図１乃至図４に示され、素材として例えば合成繊維としてのポリエステル繊維で形成した本実施形態１の衣服１を装着する被着時に、肩Ｋ,Ｋ′にどのくらいの圧力が単位面積あたりにかかるかの衣服圧の測定をした。
【００４５】
測定には、図には示さないが衣服１から圧力を直接受ける受圧部と、圧力を感知する受感部とから成り、このうち受圧部は空気を入れた小袋となるエアバッグを備え、該受圧部はチューブを介して受感部の圧力センサーに接続された形式の衣服圧測定装置を用いて測定した。この衣服圧測定装置としては、例えば株式会社エイエムアイ・テクノ製のＡＭＩ３０３７−１０を使用し、単位面積あたりの衣服圧を測定するようにした。単位はｇｆ／ｃｍ2である。
【００４６】
また、肩Ｋ,Ｋ′の測定位置は、例えば図５、図６に示すように、左の肩Ｋにおいて、前面側の胸幅部位ｃ点の僅かに上方を測定点＃１とし、肩先点部位ｂを測定点＃２とし、背面側の肩幅部位ｄ点の僅かに上方を測定点＃３とし、頸側部位ａを測定点＃４とした４測定位置を選んだ。また、中央軸芯線Ｘ上の背面中央の第７頸椎点部位ｆを測定点＃５をとして選んだ。また右の肩Ｋ′は、図５，図７に示すように、第７頸椎点部位ｆを通る中央軸線Ｘを境に左の肩Ｋと対称構造をなし、右の肩Ｋ′の頸側部位ａ′を測定点＃６とし、同様に肩幅部位ｄの上部を測定点＃７とし、肩先点部位ｂ′を測定点＃８とし、さらに前面側の胸幅部位ｃ点の僅かに上方を測定点＃９とする４測定位置を選んだ。そして、それぞれ各測定位置において２回づつ衣服圧の測定を行った。そして、測定結果に基づき、整理して下記[表１]を得た。
【００４７】
【表１】
2005299023.tif 000003
【００４８】
また、本実施形態１の肩布部５,５′を用いて製作した衣服１の比較例として図８に示すように肩布部が、本実施形態１のような肩切り替え手段９を用いることなく、袖山方向に伸びる長手方向Ｉに頸側部位ａ″から肩先点部位ｂ″を通り過ぎて袖口ｅ″に到る従来のラグラン袖Ａ′を用いて製作された衣服（図には示さない）について肩部の衣服圧を本実施例１と同様条件にて同様位置にて同数回測定した結果、下記[表２]を得た。
【００４９】
【表２】
2005299023.tif 000004
【００５０】
上記[表１]および[表２]を参照してわかることは、被着時に肩布部５,５′の表面に上側に凸の曲面部７を形成するとともに、該曲面部７の裏面には空隙部８を形成するために、図３に示すように、肩布部５,５′の周囲から内域へ向かって胸幅部位ｃに位置する前縁１０と背幅部位ｄに位置する後縁１１とに長手方向Ｉに交叉して設けた所望本数、図３では２本の切込み１２により形成されるダーツ１３を肩切り替え手段９とする本実施例１の肩布部５,５′を用いて製作された衣服１は、衣服１の中央軸線Ｘ上の背面側中央に位置する第７頸椎点部位ｆの測定点＃５における２回の測定値の平均値が、２４．４７（ｇｆ／ｃｍ2)であり、他の測定点よりも数値が大きい。
【００５１】
そして、先ず上記[表１]から左の肩Ｋにおける測定圧について考察すると、頸側部位ａに位置する測定点＃４では２回の測定値の平均値が０．３６（ｇｆ／ｃｍ2)であるのに対して、肩先点部位ｂでの測定点＃２では２回の測定値の平均値が０．２５（ｇｆ／ｃｍ2)であり、肩布部５は頸側部位ａよりも肩先点部位ｂの衣服圧が小さいことがわかった。
【００５２】
また、肩布部５は、肩切り替え手段９として胸幅部位ｃに位置する前縁１０と背幅部位ｄに位置する後縁１１とに長手方向Ｉに交叉して所望本数、図３では２本づつ、合計４本の切込み１２を内域に向けて入れることにより合計４本のダーツ１３を設けて肩布部５の表面に上側に凸の曲面部７を形成するとともに、肩布部５の裏面には空隙部８が形成されるので、衣服１の被着時に肩布部５は頸側部位ａ付近を支点部ｐとして肩Ｋに支持されるため、長手方向Ｉを頸側部位ａから肩先点部位ｂに向けて浮き上がりを生ずる結果、左の肩Ｋに加わる衣服圧が軽減されることがわかる。
【００５３】
また、左の肩Ｋの前面側の胸幅部位ｃ点よりも僅かに上方の測定点＃１での２回の測定値の平均値が０．８２（ｇｆ／ｃｍ2)であり、しかも背面側の肩幅部位ｄ点よりも僅かに上方の測定点＃３での２回の測定値の平均値が１．８４（ｇｆ／ｃｍ2)である。そして、これらの平均の測定値は前述の頸側部位ａの測定点＃４での２回の測定値よりも大きいが、肩布部５に設けたダーツ１３よりなる肩切り替え手段９により肩布部５の表面には上側に凸の曲面部７を形成するとともに、該曲面部７の裏面には空隙部８を形成したことにより衣服１の重量が肩Ｋ全体には直接かからず、肩布部５の前後に振り分けられて分散されてかかっている。
【００５４】
この点、図８に示すように肩布部が、本実施形態１のような肩切り替え手段９を肩布部に用いることなく、長手方向Ｉに頸側部位ａ″から肩先点部位ｂ″を通り過ぎて袖口ｅ″に到る従来のラグラン袖Ａ′を用いて製作された衣服（図には示さない）についての肩Ｋの衣服圧を[表２]を用いて比較すると、[表２]から頸側部位ａ″での測定点＃４′では２回の測定値の平均値が０．５１（ｇｆ／ｃｍ2)であり、肩先点部位ｂ″での測定点＃２′では２回の測定値の平均値が３．４７（ｇｆ／ｃｍ2)であり、肩布部は頸側部位ａ″よりも肩先点部位ｂ″が衣服圧が大きいとともに測定点＃４′および測定点＃２′での平均値はいずれも本実施形態１の対応位置での２回の測定値の平均値よりも大きい。
【００５５】
しかも、図８に示すような肩布部が一体になっている従来のラグラン袖Ａ′では、左の肩Ｋの前面側の胸幅部位ｃ点よりも僅かに上方の測定点＃１′での２回の測定値の平均値が０．７１（ｇｆ／ｃｍ2)であり、しかも背面側の肩幅部位ｄ点よりも僅かに上方の測定点＃３′での２回の測定値の平均値が１２．３９（ｇｆ／ｃｍ2)であり、何れも前述の頸側部位ａ″の測定点＃４′での２回の測定値よりも大きい。また、これらの従来のラグラン袖Ａ′では、測定点＃１′,＃２′,＃３′,＃４′での２回の測定値の平均値は、本実施形態１の対応位置での２回の測定値の平均値よりも大きく、左の肩Ｋ全体に大きな負担がかかっていることがわかる。
【００５６】
本実施形態１の測定点＃１,＃２,＃３,＃４における前記平均値は、図８に示す比較例における対応する測定点＃１′,＃２′,＃３′,＃４′の平均値の比率は、それぞれ１１４．３％、７．４％、１４．８％、７０．０％であり、測定点＃１を除いて負担が軽減されている。
【００５７】
次いで、背面側中央の第７頸椎点部位ｆを測定点＃５とする中央軸線Ｘを境に左の肩Ｋと対称構造をなす右の肩Ｋ′における測定圧について考察する。
【００５８】
上記[表１]から頸側部位ａ′での測定点＃６では２回の測定値の平均値が３．０６（ｇｆ／ｃｍ2)であるのに対して、肩先点部位ｂ′での測定点＃８では２回の測定値の平均値が０．５６（ｇｆ／ｃｍ2)であり、肩布部５′は頸側部位ａ′よりも肩先点部位ｂ′が衣服圧が小さいことがわかった。
【００５９】
また、肩布部５′は、胸幅部位ｃに位置する前縁１０′と背幅部位ｄに位置する後縁１１′とに長手方向Ｉに交叉して所望本数、図３では２本づつ、合計４本の切込み１２を内域に向けて入れることにより合計４本の肩切り替え手段９としてのダーツ１３を設けて肩布部５′の表面に上側に凸の曲面部７を形成するとともに、肩布部５′の曲面部７の裏面には空隙部８を形成したことにより肩布部５′は頸側部ａ′付近を支点部ｐとして肩Ｋ′に支持されるので、袖山方向へ伸びる長手方向Ｉを頸側部位ａ′から肩先点部位ｂ′に向けて浮き上がりを生ずる結果、右の肩Ｋ′に加わる衣服圧が軽減されていることがわかる。
【００６０】
また、右の肩Ｋ′の前面側の胸幅部位ｃ点よりも僅かに上方の測定点＃１での２回の測定値の平均値が−０．２０（ｇｆ／ｃｍ2)であり、しかも背面側の肩幅部位ｄ点よりも僅かに上方の測定点＃７での２回の測定値の平均値が５．００（ｇｆ／ｃｍ2)であり、これらの平均の測定値は前述の頸側部位ａ′の測定点＃６での２回の測定値よりも大きいが、肩布部５′の周囲に設けたダーツ１３よりなる肩切り替え手段９により肩布部５′の表面に上側に凸の曲面部７を形成するとともに、肩布部５′の曲面部７の裏面には空隙部８を形成したことにより衣服Ｓの重量が肩Ｋ′には直接かからず、肩布部５′の前後に振り分けられて分散化されてかかっていることがわかった。
【００６１】
この点、図８に示すように肩切り替え手段９を肩布部に用いない従来のラグラン袖Ａ′にて製作された衣服（図には示さない）についての肩への衣服圧は、[表２]から頸側部位ａ″での測定点＃６′では２回の測定値の平均値が１．３８（ｇｆ／ｃｍ2)であり、肩先点部位ｂ″での測定点＃８′では２回の測定値の平均値が３．０６（ｇｆ／ｃｍ2)であり、肩布部は頸側部位ａ″よりも肩先点部位ｂ″が衣服圧が大きいとともに測定点＃６′および測定点＃８′での２回の平均値はいずれも本実施形態１の対応位置での２回の測定値の平均値よりも大きい。
【００６２】
しかも、図８に示すような肩布部が一体になっている従来のラグラン袖Ａ′では、[表２]より右の肩Ｋ′の前面側の胸幅部位ｃ点よりも僅かに上方の測定点＃９′での２回の測定値の平均値が０．４１（ｇｆ／ｃｍ2)であり、しかも背面側の肩幅部位ｄ点よりも僅かに上方の測定点＃７′での２回の測定値の平均値が１２．２４（ｇｆ／ｃｍ2)であり、何れも前述の頸側部位ａ″の測定点＃６′での２回の測定値よりも大きいとともに、これらの従来のラグラン袖Ａ′では、測定点＃６′,＃７′,＃８′,＃９′での２回の測定値の平均値は、本実施形態１の対応位置での２回の測定値の平均値よりも大きく、大きな重量が肩Ｋ′にかかっていることがわかる。
【００６３】
また、本実施形態１の測定点＃６,＃７,＃８,＃９における前記平均値は、図８に示すように従来のラグラン袖Ａ′を用いた比較例における対応する測定点＃６′,＃７′,＃８′,＃９′の平均値の比率は、それぞれ２２２．２％、４０．８％、１８．３％、−５０．０％である。
【００６４】
従って、肩切り替え手段を持たない従来のラグラン袖Ａ′を用いて製作された衣服では、衣服の被着時に肩Ｋ,Ｋ′全体で衣服を支え、大きな負担となっていることがわかった。この結果、重量感を感じ、着心地が悪く、窮屈感を覚える。
【００６５】
しかも、本実施形態１の衣服１は、左右の肩布部５,５′の裏面に肩切り替え手段９により空隙部８が形成されることにより被着者の肩Ｋ,Ｋ′から浮き上がった状態に装用されるので、衣服の肩部個所の裏面に、肩パッドを重合して設けた特許文献１に記載の従来の衣服とは異なり、運動をする時に、衣服１が身体の動きに追従して滑らかに動き易いため、引き連れや突っ張りを生ずることなく、運動性に優れるものが得られる。そして、衣服１の着崩れがなくなり、左右の肩布部５,５′の不均衡もなくなり、外観的な見苦しさもなくなる。
【００６６】
そのうえ、本実施形態１の衣服１は、特許文献１に記載の衣服のように肩パッドを用いないので、部品点数が多くならず、資材費も安価になるとともに肩パッドを衣服に取付けずに済むため、工程数が増えず、製作費も安価になる。
【００６７】
図９ないし図１２は本発明の衣服の実施形態２を示す。
【００６８】
この実施形態２では、肩布部５,５′に続いて配設される袖部６,６′がラグラン袖Ａ１として一体に形成される点は前記実施形態１と同様であるが、肩布部５,５′に設ける前記肩切り替え手段９が、前記頸側部位ａ,ａ′に長手方向Ｉへ切込み１２を所望本数、図では１本を設け、該切込み１２によってダーツ１３を設けて形成することより、肩布部５,５′の表面に曲面部７,７が形成され、肩布部５,５′の曲面部７,７の裏面に空隙部８が形成される。
【００６９】
そして、被着者が衣服１を装用する被着時には、図４に示すように肩布部５,５′は、頸側部位ａ,ａ′付近を支点部ｐとして被着者の肩Ｋ,Ｋ′から浮き上がった状態に衣服１は装用され、被着者の左右の肩Ｋ,Ｋ′全体で衣服１の重量を支えるものではなく、重量が肩布部５,５′を介して周囲に分散されてかかることになるため、重量感を感ぜず、軽快になり、着心地が良くなるとともに運動性に優れ、引き連れや窮屈感も覚えることはない。また、肩切り替え手段９が、前記頸側部位ａ,ａ′に長手方向Ｉへ切込み１２を所望本数、図では１本を設けることによりダーツ１３を形成するので、切り替え手段９を形成するのに便利になるという、構成を採用し、作用を奏するほかは前記実施形態１と同様の構成、作用である。
【００７０】
図１３ないし図１６は本発明の実施形態３である。
【００７１】
この実施形態３では、肩布部５,５′に続いて配設される袖部６,６′が、袖ぐり部２０,２０′を介して設けられるセットイン袖Ｂであり、前記前身頃３,３′および前記後身頃４,４′に取付けられるようにしたものである。
【００７２】
また、前記肩切り替え手段９が、後身頃４,４′に一体に形成される前記肩布部５,５′の長手方向Ｉに交叉する切込み１２を所望本数、図では１本設けることによってダーツ１３を設けて形成されるか、または図には示さないが所望本数の折込みによってタックを設けて形成されることにより、肩布部５,５′の表面に曲面部７,７が形成され、該曲面部７,７の裏面に空隙部８が形成される。
【００７３】
そして、被着者が衣服１を装用する被着時には、図１６に示すように肩布部５,５′は、頸側部位ａ,ａ′付近を支点部ｐとして被着者の肩Ｋ,Ｋ′から浮き上がった状態に衣服１は装用される。こうして、被着時には被着者の左右の肩Ｋ,Ｋ′全体で衣服１の重量を支えるものではなく、重量が肩布部５,５′の周囲に分散されてかかることになるため、重量感を感ぜず、軽快になり、着心地が良く、窮屈感も覚えることはないという、構成であり、作用を奏するほかは前記実施形態１と同様の構成、作用である。
【００７４】
図１７ないし図２０は本発明の実施形態４である。
【００７５】
この実施形態４では、前記肩切り替え手段９が、前記肩布部５,５′を後身頃４,４′に対する肩ヨーク３０,３０′として形成し、該肩ヨーク３０,３０′の肩山の縁部には長手方向Ｉに交叉する所望本数の切込み１２によってダーツ１３を設けて形成されるか、または図には示さないが所望本数の折込みによってタックを設けて形成されることにより、肩布部５,５′の表面に曲面部７が形成され、該曲面部７の裏面に空隙部８が形成される。
【００７６】
そして、被着者が衣服１を装用する被着時には、図１９に示すように肩布部５,５′は、頸側部位ａ,ａ′付近を支点部ｐとして被着者の肩Ｋ,Ｋ′から浮き上がった状態に衣服１は装用され、被着者の左右の肩Ｋ,Ｋ′全体で衣服１の重量を支えるものではなく、重量が肩布部５,５′から周囲に分散されてかかることになるため、重量感を感ぜず、軽快になり、着心地が良く、窮屈感も覚えることはない。また、肩切り替え手段９を形成するのに、前記肩布部５,５′が後身頃４,４′に対する肩ヨーク３０,３０′の肩山の縁部に長手方向Ｉに交叉する切込み１２を設けることにより簡単に形成され、前身頃３,３′および後身頃４,４′には大幅な変更を施さないで済み、構造が簡単である構成であり、作用を奏するほかは前記実施形態３と同様の構成、作用である。
【００７７】
図２１ないし図２４は本発明の実施形態５である。
【００７８】
この実施形態５では、前記肩切り替え手段９が、前身頃３,３′および後身頃４,４′と、該前身頃３,３′と該後身頃４,４′との対向面の何れか一側、本実施形態５ではセットイン袖Ｂ,Ｂとしての袖部６,６′に胸幅部位ｃと背幅部位ｄとの間の領域を幅方向Ｗに占める肩布構成部材４０,４０′を突設するとともに、前記対向面の何れか他側、本実施形態では前身頃３,３′および後身頃４,４′に前記肩布構成部材４０,４０′を取付可能に該肩布構成部材４０,４０′よりも僅かに幅狭の肩ぐり凹部４１,４１′を凹設した構成としている。なお、本実施形態５では、肩布構成部材４０,４０′は、袖部６,６′に一体に裁断して突設しているが、肩布構成部材４０,４０′と、袖部６,６′とは個別に裁断され、後に肩布構成部材４０,４０′と、袖部６,６′との双方を取付けるようにしてもよい。
【００７９】
そして、被着者が衣服１を装用する被着時には、図２４に示すように肩布部５,５′は、該前身頃３,３′と該後身頃４,４′との対向面の何れか一側、図示する実施例では胸幅部位ｃと背幅部位ｄとの間の領域を幅方向Ｗに占めるようにセットイン袖としての袖部６,６′に突設した肩布構成部材４０,４０′が、前記対向面の何れか他側、図示する本実施形態では前身頃３,３′および後身頃４,４′に肩布構成部材４０,４０′を取付可能に肩ぐり凹部４１,４１′を該肩布構成部材４０,４０′よりも僅かに幅狭に凹設しているので、肩ぐり凹部４１,４１に肩布構成部材４０,４０′を取付けた場合に、肩布構成部材４０,４０′は肩Ｋ,Ｋ′の縦断面の曲率Ｒ′より大きな曲率Ｒにて表面に曲面部７が形成され、裏面には空隙部８が形成されるので、装着時には頸側部位ａ,ａ′付近を支点部ｐとして被着者の肩Ｋ,Ｋ′から浮き上がった状態に衣服１は装用され、被着者の左右の肩Ｋ,Ｋ′全体で衣服１の重量を支えるものではなく、重量が肩布部５,５′から前身頃３,３′および後身頃４,４′に対して周囲に分散されてかかることになるため、重量感を感ぜず、軽快になり、着心地が良く、窮屈感も覚えることはないという、構成であり、作用を奏するほかは前記実施形態４と同様の構成、作用である。
【００８０】
なお、上記実施形態１、実施形態２、実施形態３、実施形態４、実施形態５では、肩布部５,５′の表面側に曲面部７を形成し、裏面側には空隙部８を形成するために、肩布部５,５′に設ける肩切り替え手段９が、切込み１２を設けることによりダーツ１３を形成する場合を代表的に説明したが、肩切り替え手段９は切込み１２によりダーツ１３を形成する場合に限ることなく、例えば切込み１２に代えて折り込みを設けることにより形成されるタックであってもよく、要は肩布部５,５′の展開時より肩布部５,５′の周囲の容積を減容化し、組上時に減容化された縁部相互を綴じ合わせることにより肩布部５,５′の表面側に曲面部７を形成し、該曲面部７の裏面側に空隙部８を形成することにより衣服１の被着時に肩布部５,５′が肩Ｋ,Ｋ′から浮き上がった状態に着用することができるものであればよい。
【産業上の利用可能性】
【００８１】
本発明は、衣服を重量を感ずることなく軽快にかつ窮屈感を覚えることなく着用でき、しかも引き連れを生ぜずに運動性に優れ、さらには部品点数も少なく、製作および組付けは容易になり、資材費および製作コストが安価になる分野・用途に適する。
【図面の簡単な説明】
【００８２】
【図１】図１は本発明の衣服の実施形態１を示す正面図である。
【図２】図２は背面図である。
【図３】図３は本実施形態１に使用する左右１対の肩布部を示す拡大平面図である。
【図４】図４は同じく衣服の被着時の説明的な断面図である。
【図５】図５は被着者に対する本実施形態１に示す衣服での衣服圧の測定位置を示す正面図である。
【図６】図６は左側面図である。
【図７】図７は右側面図である。
【図８】図８は比較例の肩布部を示す拡大平面図である。
【図９】図９は本発明の衣服の実施形態２を示す正面図である。
【図１０】図１０は背面図である。
【図１１】図１１は本実施形態２に使用する左右１対の肩布部を示す拡大平面図である。
【図１２】図１２は同じく衣服の説明的な被着時の断面図である。
【図１３】図１３は本発明の衣服の実施形態３を示す正面図である。
【図１４】図１４は背面図である。
【図１５】図１５は本実施形態３に使用する左右１対の肩布部を示す拡大平面図である。
【図１６】図１６は同じく衣服の被着時の背面図である。
【図１７】図１７は本発明の衣服の実施形態４を示す正面図である。
【図１８】図１８は背面図である。
【図１９】図１９は本実施形態４に使用する左右１対の肩布部を示す拡大平面図である。
【図２０】図２０は同じく衣服の被着時の背面図である。
【図２１】図２１は本発明の衣服の実施形態５を示す正面図である。
【図２２】図２２は背面図である。
【図２３】図２３は本実施形態５に使用する肩布部を示す拡大平面図である。
【図２４】図２４は同じく衣服の被着時の斜視図である。
【符号の説明】
【００８３】
１      衣服
２      首ぐり
３      前身頃
３′    前身頃
４      後身頃
４′    後身頃
５      肩布部
５′    肩布部
６      袖部
６′    袖部
７      曲面部
８      空隙部
９      肩切り替え手段
１０    前縁
１０′  前縁
１１    後縁
１１′  前縁
１２    切込み
１３    ダーツ
Ａ      ラグラン袖
Ａ１    ラグラン袖
Ａ′    ラグラン袖
Ｂ      セットイン袖
Ｉ      長手方向
Ｋ      肩
Ｋ′    肩
Ｔ      領域
Ｔ′    領域
Ｗ      幅方向
ａ      頸側部位
ａ′    頸側部位
ｂ      肩先点部位
ｂ′    肩先点部位
ｃ      胸幅部位
ｄ      背幅部位
ｅ      袖口
ｅ′    袖口
【図１】
2005299023.tif 000005
【図２】
2005299023.tif 000006
【図３】
2005299023.tif 000007
【図４】
2005299023.tif 000008
【図５】
2005299023.tif 000009
【図６】
2005299023.tif 000010
【図７】
2005299023.tif 000011
【図８】
2005299023.tif 000012
【図９】
2005299023.tif 000013
【図１０】
2005299023.tif 000014
【図１１】
2005299023.tif 000015
【図１２】
2005299023.tif 000016
【図１３】
2005299023.tif 000017
【図１４】
2005299023.tif 000018
【図１５】
2005299023.tif 000019
【図１６】
2005299023.tif 000020
【図１７】
2005299023.tif 000021
【図１８】
2005299023.tif 000022
【図１９】
2005299023.tif 000023
【図２０】
2005299023.tif 000024
【図２１】
2005299023.tif 000025
【図２２】
2005299023.tif 000026
【図２３】
2005299023.tif 000027
【図２４】
2005299023.tif 000028